(57)【要約】【課題】副画面ＰＩＰ映像信号を主画面映像信号と互いにオーバレイさせて主画面映像信号と副画面映像信号とを同時に見ることができるようにしたＴＶの副画面処理装置及び方法を提供する。【解決手段】本発明のＴＶの副画面処理装置は、主画面映像信号を入力として画面上にディスプレー可能な信号に処理する第１映像処理部と、副画面映像信号を入力として画面の所定領域にディスプレー可能な信号に処理する第２映像処理部と、使用者の要求命令に基づいて制御信号を出力する制御部と、制御部の制御信号に基づいて前記第２映像処理部から出力される映像信号の出力量を調節する調節部とを備える。【選択図】  図３
2010183646.tif 000002
【特許請求の範囲】
【請求項１】
副映像を主映像中にディスプレー可能に処理するＴＶの画像処理方法において、
主映像を表す第１映像信号を画面にディスプレー可能な主映像データに処理する第１過程と、
副映像を表す第２映像信号を画面の所定領域にディスプレー可能な副映像データに処理する第２過程と、
制御部の制御信号に基づいて、主映像データ及び副映像データのＭＳＢビットデータの合成ビット差を調節する第３過程と、
主映像及び副映像を画面上で合成し表示する第４過程と
を有することを特徴とするＴＶの画像処理方法。
【請求項２】
前記第１過程は、
主映像を表すアナログのＲ、Ｇ、Ｂ映像信号を受信し、かつこのアナログのＲ、Ｇ、Ｂ映像信号をデジタルのＲ、Ｇ、Ｂ映像信号に変換する過程と、
前記変換されたデジタルのＲ、Ｇ、Ｂ映像信号のフォーマットを、要求されるフォーマットに変換する過程と
を含むことを特徴とする請求項１記載のＴＶの画像処理方法。
【請求項３】
前記第２過程は、
合成された映像信号を受信し、かつこの合成映像信号の中から副映像を表す映像信号を抽出する過程と、
前記抽出された映像信号のフォーマットを、要求されるフォーマットに変換する過程と  を含むことを特徴とする請求項１記載のＴＶの画像処理方法。
【発明の詳細な説明】
【技術分野】
【０００１】
本発明は、ＴＶに関し、特に副画面を主画面にオーバレイ（overlay)させて主画面と副画面を同時に見る(Picture In Picture;ＰＩＰ）ことができるようにしたＴＶの副画面処理方法、ＴＶ受信機におけるＰＩＰ処理方法、デジタルＴＶシステム及びＴＶの画像処理方法に関する。なお、本明細書においてオーバレイとは副画面を主画面に表示するときに主画面もある程度見えるように合成して表示することを意味する。
【背景技術】
【０００２】
一般に、副画面ＰＩＰ機能とは、映像を水平／垂直方向において圧縮した副画面を主画面中にディスプレーすることである。この際、副画面と主画面は同チャネルの画像であってもよく、互いに異なるチャネルの画像であってもよい。
【０００３】
以下、添付図面を参照して従来の技術のＴＶの副画面処理装置を説明する。
図１は従来の技術のＴＶの副画面処理装置を示すブロック図である。
従来の技術のＴＶの副画面処理装置は、図１に示すように、入力した主画面映像信号をデコードする第１ビデオデコーダー１と、入力した副画面映像信号をデコードする第２ビデオデコーダー２と、第２ビデオデコーダー２でデコードされた映像信号を記憶するためのメモリ３と、第１ビデオデコーダー１またはメモリ３から出力されるデジタル映像信号をアナログ映像信号に変換するデジタル／アナログコンバーター４とから構成される。
【０００４】
第１ビデオデコーダー１でデコードされた主画面映像信号がディスプレーされているときに使用者によってＰＩＰメニューが選択されると、第２ビデオデコーダー２でデコードされた副画面映像信号をメモリ３から取り出して第１ビデオデコーダー１から出力される主画面の所定領域に重ねてディスプレーする。この副画面がディスプレーされた領域では主画面がディスプレーされない。
【発明の概要】
【発明が解決しようとする課題】
【０００５】
上述したように、従来の技術のＴＶの副画面処理装置は、使用者がＰＩＰ機能を選択すると、主画面の副画面がディスプレーされた領域では主画面がディスプレーされないため、主画面の映像が何の内容なのかが分からなくなることがあるという問題点があった。
【０００６】
本発明は、上記問題点を解決するためのものであり、その目的は副画面ＰＩＰ映像信号を主画面映像信号と互いにオーバレイさせて主画面映像信号と副画面映像信号とを同時に見ることができるようにしたＴＶの副画面処理装置及び方法を提供することにある。
【課題を解決するための手段】
【０００７】
上記目的を達するための本発明のＴＶの副画面処理装置は、主画面映像信号が入力されて画面上にディスプレー可能な信号に処理する第１映像処理部と、副画面映像信号が入力されて画面の所定領域にディスプレー可能な信号に処理する第２映像処理部と、使用者の要求命令に基づいて制御信号を出力する制御部と、前記制御部の制御信号に基づいて前記第２映像処理部から出力される映像信号の出力量を調節する調節部とを備えることを特徴とする。
【０００８】
上記目的を達するための本発明のデジタルＴＶの副画面処理方法は、ＴＶの副画面処理方法において、使用者がＰＩＰ機能を選択すると、ＰＩＰをディスプレーする段階と、前記ディスプレーされるＰＩＰと主画面との混合割合をＯＳＤ形態でディスプレーする段階と、前記ディスプレーされる混合割合を参照して使用者の所望する混合割合に調整する段階とを備えることを特徴とする。
【発明の効果】
【０００９】
本発明のＴＶの副画面処理装置及び方法は次のような効果がある。
主画面と副画面との混合割合を調節することができるので、副画面上でも主画面映像信号を見ることができる。
混合割合を調節して主画面映像と副画面映像との合成割合を適切に調整することができるので、視聴者は主映像及び副映像信号共よい映像信号を見ることができる。
【図面の簡単な説明】
【００１０】
【図１】従来の技術のＴＶの副画面処理装置を示すブロック図である。
【図２】本発明のＴＶの副画面処理装置を示すブロック図である。
【図３】図３は図２に示す第１フォーマットコンバーター及びビットシフタから出力される信号の連結関係を示す図である。
【図４】図４は本発明のＴＶの副画面処理方法を示すフローチャートである。
【発明を実施するための形態】
【００１１】
以下、添付図面を参照して本発明のＴＶの副画面処理装置及び方法をより詳しく説明する。
図２は本発明のＴＶの副画面処理装置を示すブロック図であり、図３は図２に示すビットシフタでの混合割合の調節を行うスイッチ連結関係を示す図であり、図４は本発明のＴＶの副画面処理方法を示すフローチャートである。
本発明のＴＶの副画面処理装置は、図２に示すように、コンピュータＰＣから伝送されるアナログのＲ、Ｇ、Ｂ映像信号を入力としてデジタルのＲ、Ｇ、Ｂ映像信号に処理する第１映像処理部１０と、受信されるアナログのＲ、Ｇ、Ｂ映像信号を入力としてそれをデジタルのＲ、Ｇ、Ｂ映像信号に変換し、所定の制御信号に基づいて変換されたデジタルのＲ、Ｇ、Ｂ映像信号の出力量を調節する第２映像処理部２０と、使用者の要求命令に基づいて制御信号を出力する制御部４０と、そして、制御部４０の制御信号に基づいて第２映像処理部２０から出力される映像信号の出力量を調節する調節部３０と、制御部の制御信号に基づいて第１映像処理部１０から出力される映像信号及び調節部３０から出力される映像信号を選択的に合成するスイッチング部５０とから構成されている。
【００１２】
第１映像処理部１０は、アナログのＲ、Ｇ、Ｂ映像信号をデジタルのＲ、Ｇ、Ｂ映像信号に変換するアナログ／デジタルコンバーター１１と、アナログ／デジタルコンバーター１１から出力されるデジタルのＲ、Ｇ、Ｂ映像信号の出力を一定に維持する第１フォーマットコンバーター１２とから構成される。更に、第２映像処理部２０は、受信された複合映像同期信号でビデオ信号をデコードするビデオデコーダー２１と、ビデオデコーダー２１の出力信号を所定のフォーマットに変換する第２フォーマットコンバーター２２とから構成されている。
調節部３０は第２フォーマットコンバーター２２で変換された信号を制御部４０の制御信号に基づいて最上位ビットから出力されるように調節するビットシフタとから構成される。
【００１３】
次に、このように構成された本発明のＴＶの副画面処理装置の動作を説明する。
まず、Ａ／Ｄコンバーター１１にＰＣからアナログのＲ、Ｇ、Ｂ映像信号が入力されると、これはデジタルのＲ、Ｇ、Ｂ映像信号に変換され、変換されたデジタルのＲ、Ｇ、Ｂ映像信号は第１フォーマットコンバーター１２に入力されて入力信号に係わらずに常に一定のフォーマット信号に変換されて出力される。又、ビデオデコーダー２１はアンテナから受信した複合映像同期信号で映像信号だけをデコードし、ビデオデコーダー２１でデコードされた映像信号は第２フォーマットコンバーター２２に入力されて既設定の所定の形式に変換され、この変換された信号がビットシフタ３０に入力されて使用者の選択しようとするビット量に基づいて最上位ビットから出力する。
【００１４】
このようにして第１フォーマットコンバーター１２及びビットシフタ３０から出力される各々のデジタルのＲ、Ｇ、Ｂ映像信号はスイッチング部３０に入力されて制御部４０の制御信号に基づいて選択的に合成される。すなわち、制御部４０の制御信号に基づいて第１フォーマットコンバーター１２から出力されるＲ、Ｇ、Ｂ映像信号は第２映像処理部２０から出力されるＲ、Ｇ、Ｂ映像信号と混合されることにより、主画面及び副画面の映像データのビット合成割合を調整することができる。
【００１５】
副画面データは、主画面データとは違って、最上位ビットを基準として主画面データに合成するために、各ビット毎に出力データラインが図３に示すように連結されている。従って、主画面データ及び副画面データの合成は最上位ビットを基準として混合割合に基づいて主画面データラインの最下位ビットから合成する。混合割合を高くすれば副画面映像データの合成される量を異ならせることができる。
【００１６】
すなわち、ビットシフタ３０の最上位ビットの１つだけを出力する場合、第１フォーマットコンバーター１２から出力される主映像データの最下位ビットに加えて出力する。この際、主映像データの最下位ビットラインを介して副画面映像信号、つまりビットシフタ３０から出力される最上位ビット信号が伝送される。
【００１７】
以下、このように構成された本発明のＴＶの副画面処理方法を図４を参照して説明する。
まず、使用者がＰＩＰ機能を選択したか否かを判断する（Ｓ１１）。次いで、その判断の結果（Ｓ１１）、使用者がＰＩＰ機能を選択した場合、ＰＩＰ画面をディスプレーし、現在のＰＩＰ画面と主画面との混合割合値をＯＳＤ形態でディスプレーする（Ｓ１２）。使用者がディスプレーされたＯＳＤ形態の混合割合を参照して混合割合を変更しようとする場合、所望する混合割合に調整する（Ｓ１３）。一方、使用者がディスプレーされたＯＳＤ形態の混合割合を変更せずにそのまま視聴する場合、現在の混合割合値を記憶する（Ｓ１４）。
【００１８】
上述したように、本発明のＴＶの副画面処理装置及び方法は、使用者が主画面とＰＩＰ映像信号を同時に見ようとする場合、使用者の要求に基づいて主画面とＰＩＰ映像信号との重なる部分の混合割合を調整して自動的に合成させることにより、ＰＩＰ映像信号の副画面ディスプレーされる領域に主画面もディスプレーされるようにすることができる。
【符号の説明】
【００１９】
１０…第１映像処理部、１１…Ａ／Ｄコンバーター、１２…第１フォーマットコンバーター、２０…第２映像処理部、２１…ビデオデコーダー、２２…第２フォーマットコンバーター、３０…ビットシフタ、４０…制御部、５０…スイッチング部。
【図１】
2010183646.tif 000003
【図２】
2010183646.tif 000004
【図３】
2010183646.tif 000005
【図４】
2010183646.tif 000006